(57)【要約】【課題】足の筋力が低下した高齢者などが安定して、長時間歩くことのできる履物底を提供する。【解決手段】足の足趾および小趾球を支持する前足部１０を備えた履物底１に関する。ＭＰ関節よりも前方における前記前足部１０の厚さが、本質的に、履物底１の内側ＩＮに沿って前方Ｙ１に行くに従い厚く、履物底１の外側ＯＵＴに沿って前方Ｙ１に行くに従い厚く、履物底１の中央に沿って前方Ｙ１に行くに従い厚く、前記ＭＰ関節よりも前方Ｙ１において、前足部１０の任意の横断面における厚さが、本質的に、足の中央から外側ＯＵＴに行くに従い厚くなっていることを特徴とする。【選択図】図１
2008307199.tif 000002
【特許請求の範囲】
【請求項１】
足の足趾および小趾球を支持する前足部を備えた履物底であって、
ＭＰ関節から第２趾の未節骨に至るまでの前記前足部の厚さが、本質的に、
履物底の内側に沿って前方に行くに従い厚く、
履物底の中央に沿って前方に行くに従い厚く、
前記ＭＰ関節から前方の第４趾の未節骨に至るまでの前足部の厚さが、本質的に、
履物底の外側に沿って前方に行くに従い厚く、
前記ＭＰ関節よりも前方において、前足部の任意の横断面における厚さが、本質的に、  足の中央から外側に行くに従い厚くなっていることを特徴とする履物底。
【請求項２】
請求項１において、
前記任意の横断面におけるソール内側の厚さＴＩＮi からソール中央の厚さＴＭi を減算した第１偏差ΔＴ１i と、
当該横断面におけるソール外側の厚さＴＯＵＴi から前記中央の厚さＴＭi を減算した第２偏差ΔＴ２i との関係が下記の（１）式で定義される履物底
ΔＴ１i ＜ΔＴ２i …（１）
i ：横断面の位置。
【請求項３】
請求項１もしくは２において、
前記ＭＰ関節の近傍のラインよりも後方における前足部の厚さが、本質的に、
履物底の内側に沿って後方に行くに従い厚く、
履物底の外側に沿って後方に行くに従い厚く、
履物底の中央に沿って後方に行くに従い厚くなっていることを特徴とする履物底。
【請求項４】
請求項１，２もしくは３において、
第１趾〜第４趾の末節骨におけるソールの厚さが互いに同程度に近づくように、
前記ソールの横断面における外側の厚さＴＯＵＴi から前記中央の厚さＴＭi を減算した第２偏差ΔＴ２i が、前記第２趾の末節骨を通る第１の横断面から、第４趾の末節骨を通る第２の横断面に近づくに従い増大するように設定されている履物底。
【請求項５】
請求項１ないし４のいずれか１項において、前記履物底がミッドソールもしくは中敷である履物底。
【発明の詳細な説明】
【技術分野】
【０００１】
本発明は履物底に関するものである。
【背景技術】
【０００２】
従来より、種々の履物底が提案されている（特許文献１〜５）。
【特許文献１】特開２０００−１２５９０６（要約書）
【特許文献２】特開平０４−０７３００１号（第１図）
【特許文献３】実開平０７−００９１０１号（要約書）
【特許文献４】特開平０８−０７０９１０号（要約書）
【特許文献５】特開２０００−２１７６０２（要約書）
【０００３】
ところで、歩行や走行は、片方の足を踏み出すために、当該踏み出す方の足を浮かし、接地している他方の足でバランスをとる片足立ち状態（以下、「片足立ち時」という）を左右の足で交互に繰り返し行っている。そのため、歩行や走行をスムースに行うには、片方の足で交互に体のバランスをとる必要がある。
歩行や走行時に、片足でバランス良く立つには、５本の足趾および踵に体重が乗った状態で足裏が確実に地面に接する必要がある。
【０００４】
ここで、高齢者は、加齢と共に筋力が低下しているため、第２〜第５趾の特に第４および第５趾を地面に十分に接地させることが難しく、そのため、歩行時に片足でバランス良く立つのが難しい。足の筋力が衰えた高齢者が歩く場合には、前記片足立ち時において、図２に示す母趾球Ｏ１と踵骨Ｇｂの中心との２点支持になり易く、バランスを崩しやすい。
【０００５】
特許文献１および２の履物底は、該履物底の厚さが爪先に向って大きくなるように形成されている。しかし、特許文献１および２の履物底は、前記片足立ち時において、第３趾〜第５趾の付け根部分に対応する部分が地面に接地しづらいので高齢者には歩き辛い。
【０００６】
特許文献３および４の中敷は、足裏の外側が持ち上がるように傾斜して形成されている。しかし、特許文献３〜４の中敷は、背骨の湾曲の矯正や、ゴルフスウィング時の安定性を向上させるためのものであり、歩行性については考慮されていない。特に、第１趾から第３趾の足先部分に対応する部分が地面に接地しづらく、高齢者には歩き辛い。
【０００７】
特許文献５の履物底は、履物底面の第１趾側の爪先側側部を第５趾側のよりも薄くすることで爪先全部を踏ん張り易くすることで、足全体の筋力を鍛えるものである。しかし、歩行時において、踏み出した足の第５趾側が先に地面に接地し、第１趾側がその後に接地するので、違和感を生じると共にバランスが取りにくく、高齢者には歩き辛い。
【発明の開示】
【０００８】
したがって、本発明の目的は、足の筋力が低下した高齢者などが安定して、長時間歩くことのできる履物底を提供することである。
【０００９】
前記目的を達成するために、本発明の履物底は、足の足趾および小趾球を支持する前足部を備えた履物底であって、ＭＰ関節から第２趾の未節骨に至るまでの前記前足部の厚さが、本質的に、履物底の内側に沿って前方に行くに従い厚く、履物底の中央に沿って前方に行くに従い厚く、前記ＭＰ関節から前方の第４趾の未節骨に至るまでの前足部の厚さが、本質的に、履物底の外側に沿って前方に行くに従い厚く、前記ＭＰ関節よりも前方において、前足部の任意の横断面における厚さが、本質的に、足の中央から外側に行くに従い厚くなっていることを特徴とする。
【００１０】
本発明によれば、ＭＰ関節から第２趾の未節骨に至るまでの前足部において前方に行くに従いソールが厚く、かつ、足の中央から外側に行くに従いソールが厚くなっている。そのため、外側に位置する第３趾、第４趾および第５趾の先端部分が接地し易くなって歩行時にこれらの部位に自然に力が入る。
したがって、体力の衰えた高齢者でも踵および前足部の内側だけでなく外側においても体重を支えることができるので、片足立ち時における足裏の接地面積が著しく大きくなるから、片足立ち時にバランスをとり易くなり、その結果、快適な歩行が可能となる。
【００１１】
なお、「本質的に…厚く」とは、アウターソールには防滑用の凹凸があり、また、複数個にアウターソールが分割されている場合、アウターソールのパーツ間には溝が生じる。また、ミッドソールにはミッドソールの特定の部位における屈曲を容易にするために溝を形成する場合がある。本発明においてソールの前足部の厚さとは、接地時の足裏の路面からの距離（すなわち、図１（ｄ）における接地面２１からソールの上面２２までの高さ）を定める厚さであり、したがって、本発明において「本質的に」とは、前記凹凸や溝を除いた（無視した）厚さを意味する。
【発明を実施するための最良の形態】
【００１２】
本発明において、前記任意の横断面におけるソール内側の厚さＴＩＮi からソール中央の厚さＴＭi を減算した第１偏差ΔＴ１i と、当該横断面におけるソール外側の厚さＴＯＵＴi から前記中央の厚さＴＭi を減算した第２偏差ΔＴ２i との関係が下記の（１）式で定義されるのが好ましい。
ΔＴ１i ＜ΔＴ２i …（１）
i ：横断面の位置。
【００１３】
すなわち、ミッドソールなどのソールは、足を安定して支持するために、中央から足の内外へ向かうに従い厚くなっている場合があるが、本発明では、任意の横断面について、内側へ向かう場合の厚さの変化よりも外側へ向かう場合の厚さの変化を大きくするのが好ましい。
【００１４】
このように設定した実施例では、足の外側が上方に持ち上がることにより、足が外側に倒れようとしても、外側が上方に若干厚いことで、足の外側への倒れを防止し得る。
【００１５】
なお、本明細書において、ソールの横断面とは、足の長さ方向（ソールの長軸方向）に概ね直交する断面をいう。
「任意の横断面」について偏差ΔＴ１i ，ΔＴ２i の関係を定義付けたのは、ごく一部の横断面についてのみ前記（１）式を満足するものを本発明から除外するためであり、一方、前足部の大半において前記（１）式を満足すれば本発明に含まれることを意味する。  
【００１６】
本発明において、前記ＭＰ関節の近傍のラインよりも後方における前足部の厚さが、本質的に、履物底の内側に沿って後方に行くに従い厚く、履物底の外側に沿って後方に行くに従い厚く、履物底の中央に沿って後方に行くに従い厚くなっているのが好ましい。
【００１７】
ＭＰ関節の近傍ラインにおいてソールの本質的な厚さを薄くすることなく前足部の厚みを増すと、つま先部が厚くなりすぎてつまずくおそれがある。そこで、ＭＰ関節部位の厚みを薄くすることで、つまづきにくい構造にした。
なお、前記前足部の外側の厚さは、第５趾の中足骨骨底から第５趾の中足骨骨体に向って一旦薄くなり、第５趾の中足骨骨体からＭＰ関節に向って、さらに、第５趾の先端に向って厚く形成するのが、第５趾の先端部の支持の観点から好ましい。
【００１８】
本発明においては、第１趾〜第４趾の末節骨におけるソールの厚さが互いに同程度に近づくように、前記ソールの横断面における外側の厚さＴＯＵＴi から前記中央の厚さＴＭi を減算した第２偏差ΔＴ２i が、前記第２趾の末節骨を通る第１の横断面から、第４趾の末節骨を通る第２の横断面に近づくに従い増大するように設定されているのが好ましい。
【００１９】
本発明によれば、内側と外側の末節骨を支持するソールの厚さ、つまり、高さが同程度となっていることで、外側の足趾に力が更に入り易くなる。
【００２０】
本発明において、前記履物底がミッドソールもしくは中敷であるのが好ましい。アウターソールに厚い部分を設けると、ソールの重量の増大等を招く。また、中底（インソール）においては、それ自体の厚さが薄く、厚さを変化させるのが困難な上、中底に比べて柔らかいミッドソールが変形するので、十分な効果が得られないからである。
【実施例１】
【００２１】
本発明は、添付の図面を参考にした以下の好適な実施例の説明からより明瞭に理解されるであろう。しかしながら、実施例および図面は図示および説明のためのものである。本発明の範囲は請求の範囲に基づいて定められる。添付図面において、複数の図面における同一の部品番号は、同一または相当部分を示す。
【００２２】
以下、本発明の実施例を図面にしたがって説明する。
図１〜図３は実施例１を示す。
図１（ａ）〜（ｃ）に示すように、ソールＳは、足の足趾および小趾球を支持する前足部１０、中足を支持する中足部１１および後足を支持する後足部１２が一体に形成されている。
【００２３】
図１（ａ）〜（ｃ）に示すように、前記ソールＳは、ミッドソール（履物底の一例）１と、該ミッドソール１の下面に固着され路面５０（図１（ｄ））に接するアウターソール２とを備えている。
【００２４】
前記ミッドソール１は、該ミッドソール１に足裏が接触する部分に応じて異なる厚さに形成されている。したがって、概ね一定の厚さのアウターソール２が前記ミッドソール１に固着されて、以下に述べるように、ソールＳの厚さが本質的に変化するように形成されている。
なお、本発明において（本質的な）ソールＳの厚さとは、接地時における路面５０から足裏までの距離に対応したソールの厚さであり、たとえば、図１（ｄ）に示すように、接地時に路面５０に接するアウターソール２の接地面２１から、ミッドソール１の上面２２までの高さのことであり、ミッドソール１およびアウターソール２の凹凸や溝を無視した厚さを意味する。
【００２５】
ＭＰ関節ＭＰi （図２）よりも前方Ｙ１の厚さ：
ＭＰ関節ＭＰi （図２）よりも前方Ｙ１の厚さは、以下のように形成されている。
前後方向Ｙの厚さの変化；
図１（ｅ）の縦断面に示すように、前記ソールＳの前足部１０の前後方向Ｙ（図１（ｂ））については、ソールＳの中央に沿って、かつ、足の中央に沿って前方Ｙ１に行くに従い厚く形成されている。すなわち、ソールＳは、図２に示す第２趾ｆ２のＭＰ関節ＭＰ2 から、第２趾ｆ２の末節骨Ｂ１2 の先端に行くに従い、図１（ｅ）に示すように厚く形成されている。
なお、図３（ａ）に示すソールＳにおける第２趾ｆ２の末節骨Ｂ１2 （図２）近傍の厚さＴＭA と、図３（ｄ）に示す第２趾ｆ２のＭＰ関節ＭＰ2 （図２）後方近傍の厚さＴＭD との差は、たとえば、４．０ｍｍ〜７．０ｍｍ程度に設定するのが好ましく、より好ましくは５．０ｍｍ〜６．０ｍｍ程度に設定するのが好ましい。
【００２６】
図３（ａ）〜（ｃ）に示すように、ミッドソール１内側の前足部１０（図２）の前後方向Ｙについては、ソールＳの内側ＩＮに沿って、つまり、足の内側に沿って前方Ｙ１に行くに従い厚く形成されている。前述のように、ミッドソール１には概ね一定の厚さのアウターソール２が固着されてソールＳが形成されているので、ソールＳの厚さは、図２の母趾球Ｏ１近傍から第１趾（母趾）ｆ１の末節骨Ｂ１1 先端に行くに従い厚く形成されている。
したがって、図３（ｃ）〜（ａ）に示すように、前足部のソールＳの内側の厚さＴＩＮi は、前方に行くに従い厚く形成されている。
【００２７】
一方、ミッドソール１外側の前足部１０（図２）の前後方向については、ソールＳの外側ＯＵＴに沿って、つまり、足の外側に沿って厚く形成されている。すなわち、ソールＳの厚さは、図２の小趾球Ｏ５から第５趾ｆ５の末節骨Ｂ１5 の先端に行くに従い厚く形成されている。
したがって、図３（ｄ）〜（ａ）に示すように、前足部１０のソールＳの外側の厚さＴＯＵＴi は、前方に行くに従い厚く形成されている。
【００２８】
幅方向Ｗの厚さの変化；
図３（ａ）〜（ｃ）に示すように、ミッドソール１の前足部１０（図２）の幅方向Ｗについては、図３（ａ）〜（ｃ）の３つの横断面に示すように、ソールＳの厚さは、中央から内側に行くに従い厚く形成されている。また、図３（ａ）〜（ｃ）の３つの横断面に示すように、ソールＳの厚さは、中央から外側に行くに従い厚く形成されている。
【００２９】
ここで、ソールＳの前足部１０において、任意の横断面におけるソール内側の厚さＴＩＮi からソールＳの中央の厚さＴＭi を減算した第１偏差ΔＴi と、当該横断面におけるソールＳの外側の厚さＴＯＵＴi から、前記中央の厚さＴＭi を減算した第２偏差ΔＴ２i との関係は、下記の（１）式で定義される。
ΔＴ１i ＜ΔＴ２i   …（１）
但し、ΔＴ１i ＝ＴＩＮi −ＴＭi ，ＴＩＮi ＞ＴＭi 
ΔＴ２i ＝ＴＯＵＴi −ＴＭi ，ＴＯＵＴi ＞ＴＭi 
i ：横断面の位置
【００３０】
したがって、たとえば、図３（ａ）〜（ｃ）に示すソールＳの各断面の偏差は、下記の（１０）〜（１２）式で定義される。
図３（ａ）に示すＡ−Ａ線断面における偏差の関係；
ΔＴ１A ＜ΔＴ２A   …（１０）
但し、ΔＴ１A ＝ＴＩＮA −ＴＭA ，ＴＩＮA ＞ＴＭA 
ΔＴ２A ＝ＴＯＵＴA −ＴＭA ，ＴＯＵＴA ＞ＴＭA 
A ：Ａ−Ａ線断面における横断面の位置
図３（ｂ）に示すＢ−Ｂ線断面における偏差の関係；
ΔＴ１B ＜ΔＴ２B   …（１１）
但し、ΔＴ１B ＝ＴＩＮB −ＴＭB ，ＴＩＮB ＞ＴＭB 
ΔＴ２B ＝ＴＯＵＴB −ＴＭB ，ＴＯＵＴB ＞ＴＭB 
B ：Ｂ−Ｂ線断面における横断面の位置
図３（ｃ）に示すＣ−Ｃ線断面における偏差の関係；
ΔＴ１C ＜ΔＴ２C   …（１２）
但し、ΔＴ１C ＝ＴＩＮC −ＴＭC ，ＴＩＮC ＞ＴＭC 
ΔＴ２C ＝ＴＯＵＴC −ＴＭC ，ＴＯＵＴC ＞ＴＭC 
C ：Ｃ−Ｃ線断面における横断面の位置
【００３１】
こうして、前記ソールＳは、図２に示す第１趾ｆ１〜第４趾ｆ４の末節骨Ｂ１1 〜Ｂ１4 におけるソールＳの厚さが互いに同程度に近づくように設定されている。
すなわち、外側と中央との前記第２偏差ΔＴ２i が、前記第２趾ｆ２の末節骨Ｂ１2 を通る図３（ａ）に示すＡ−Ａ線断面（第１の横断面）から、第４趾ｆ４の末節骨Ｂ１4 近傍を通る図３（ｃ）に示すＣ−Ｃ線断面（第２の横断面）に近づくに従い増大するように設定されている。
したがって、ソールＳの外側の厚さの変化は、下記の（３）式で定義される。
ΔＴ２A ＜ΔＴ２B ＜ΔＴ２C   …（３）
【００３２】
ＭＰ関節ＭＰi 近傍の厚さ；
図２および図３（ｄ）に示すように、ミッドソール１には、ＭＰ関節ＭＰi 近傍の第１ラインＬ１に沿って、アウターソール２が設けられておらず、図３（ｄ）に示すように、該ミッドソール１自体の厚さは、屈曲性の向上のために薄く形成されている。
前記第１ラインＬ１部分のミッドソール１の中央の厚さＴＭD は、たとえば、２．０ｍｍ〜５．０ｍｍ程度に形成するのが好ましく、より好ましくは、３．０ｍｍ〜４．５ｍｍ程度に形成する。
【００３３】
なお、第５趾ｆ５の小趾球Ｏ５（図２）前方の基節骨骨体Ｂ３5 に相当する部分のソールＳの厚さＴＯＵＴD と、第１趾ｆ１の母趾球Ｏ１（図２）近傍に相当する部分のソールＳの厚さＴＩＮD との差は、たとえば、２．０ｍｍ〜５．０ｍｍ程度に設定するのが好ましく、より好ましくは、３．０ｍｍ〜４．０ｍｍ程度に設定する。
【００３４】
ＭＰ関節ＭＰi よりも後方の厚さ：
ＭＰ関節ＭＰi よりも後方の厚さは、以下のように設定されている。
前後方向Ｙの厚さの変化；
図１（ｅ）に示すように、前記ソールＳの前足部１０から中足部１１に行くに従い、足の中央に沿って後方Ｙ２に行くに従い厚く形成されている。すなわち、図４（ｂ）に示すＭＰ関節ＭＰi 後方の近傍の第２ラインＬ２よりも後方Ｙ２におけるソールＳの前足部１０の厚さは、図２の第２趾ｆ２のＭＰ関節ＭＰ2 から中足骨Ｂ４2 の骨底に行くに従い、すなわち図１（ｄ）のＤ−Ｄ線断面からＥーＥ線断面に行くに従い厚く形成されている。
【００３５】
図１（ｄ）に示すように、前記ソールＳの前足部１０から中足部１１に行くに従い足の内側に沿って後方Ｙ２に行くに従い厚く形成されている。すなわち、図４（ｂ）に示すＭＰ関節ＭＰi 後方の第２ラインＬ２よりも後方Ｙ２におけるソールＳの前足部１０の厚さは、図２の第１趾ｆ１のＭＰ関節ＭＰ1 から中足骨Ｂ４1 の骨底に行くに従い、すなわち図１（ｄ）のＤ−Ｄ線断面からＥーＥ線断面に行くに従い厚く形成されている。
【００３６】
図３（ｄ）は、前記ソールＳの前足部１０において、前記第１ラインＬ１に対応する横断面図である。図３（ｄ）に示す内側の厚さＴＩＮD よりも、後方Ｙ２における内側ＩＮの厚さ（図３（e ））の方が大きい。すなわち、ソールＳの前足部１０の厚さは、図２に示す第１趾ｆ１のＭＰ関節ＭＰ1 近傍に対応する部分から中足骨Ｂ４1 の底に行くに従い厚く形成されている。
【００３７】
図１（ａ）に示すように、前記ソールＳの前足部１０の外側の厚さは、足の外側に沿って後方Ｙ２に行くに従い厚く形成されている。すなわち、図４（ｂ）に示すＭＰ関節ＭＰi 後方の第２ラインＬ２よりも後方Ｙ２におけるソールＳの前足部１０の厚さは、図１（ｄ）に示すように、第５趾ｆ５のＭＰ関節ＭＰ5 から中足骨Ｂ４5 の骨底に行くに従い厚く形成されている。
【００３８】
ソールＳの前足部１０の厚さは、図２に示す第３趾ｆ３〜第５趾ｆ５のＭＰ関節ＭＰ3 〜ＭＰ関節ＭＰ5 近傍に対応する部分から、第３趾ｆ３〜第５趾ｆ５の中足骨Ｂ４3 〜Ｂ４5 骨底に行くに従い厚く形成されている
【００３９】
したがって、図１（ｄ）および図１（ｅ）に示すように、ソールＳの前足部１０の厚さは、該ソールＳの外側ＯＵＴ、かつ、足の外側に沿って、図２の第３趾ｆ３〜第５趾ｆ５のＭＰ関節ＭＰ3 〜ＭＰ5 付近から後方Ｙ２に向って、一旦、薄くなってから厚くなるように形成されている。
【００４０】
ソールＳの中足部１１から後足部１２の厚さ：
前記中足部１１から後足部１２にかけて、ソールＳの厚さは、一般的なソールＳと同様に踵に向かうに従い厚くなるように形成されている。
【００４１】
したがって、前後方向Ｙの変化について、ソールＳの厚さは、踵部分が最も厚く、かつ、図３（ｄ）に示すＭＰ関節ＭＰi 近傍が相対的に最も薄くなるように形成されている
なお、前記ソールＳの外側ＯＵＴの厚さが前方Ｙ１に向って厚くなり始める位置は、図２のソールＳの中足部１１に位置する第５趾ｆ５の中足骨Ｂ４5 骨底よりも前方に設定してもよい。
【実施例２】
【００４２】
図４は実施例２を示す。
本実施例２では、前述の実施例１で説明したミッドソール１の厚さを変化させる代わりに、中敷３の厚さを変化させている。
図４（ａ）〜（ｅ）に示す中敷３（履物底の他の例）は、一般的な靴の中に挿入して用いるものであり、図４（ａ）および図４（ｃ）〜（ｅ）の二点鎖線は、従来の一般的な中敷の上面を示している。
【００４３】
図４（ｄ）の横断面図に示すように、前記中敷３は、前記ミッドソール１と同様に該中敷３に足裏が接触する部分に応じて異なる厚さに形成されている。したがって、前記中敷３を一般的な靴に装着することにより、路面から中敷３の上面２２までの厚さが本質的に変化するように形成される。よって、前述の実施例１で説明したミッドソール１の厚さを変化させた場合と同様の効果を得ることができる。
その他の構成は、実施例１と同様であり、同一部分または相当部分に同一符号を付して、その説明を省略する。
【００４４】
なお、前記中敷３をより効果的に用いるために、アッパーの高さを若干高くするなど、足先の締付感を緩和し得るような中敷３専用の靴を作成してもよい。また、厚みの異なる中敷３を複数種類用意し、着用者の足の形状等に応じて中敷３を選択して装着するようにしてもよい。
【産業上の利用可能性】
【００４５】
本発明は、履物底に適用することができる。
【図面の簡単な説明】
【００４６】
【図１】図１（ａ）は本発明の実施例１にかかるソールの概略外側面図、図１（ｂ）は同概略底面図、図１（ｃ）は同概略内側面図、図１（ｄ）は図１（ｂ）におけるＡ−ＡからＨ−Ｈ線概略横断面図、図１（ｅ）は図１（ｂ）におけるＩｅ−Ｉｅ線概略縦断面図である。
【図２】ソールと足の骨との関係を示す概略底面図である。
【図３】図３（ａ）は図２におけるＡ−Ａ線断面図、図３（ｂ）は図２におけるＢ−Ｂ線断面図、図３（ｃ）は図２におけるＣ−Ｃ線断面図、図３（ｄ）は図２におけるＤ−Ｄ線断面図、図３（ｅ）は図２におけるＥ−Ｅ線断面図である。
【図４】図４（ａ）は実施例２にかかる中敷の概略外側面図、図４（ｂ）は同概略平面図、図４（ｃ）は同概略内側面図、図４（ｄ）は図４（ｂ）におけるＡ−ＡからＨ−Ｈ線概略横断面図、図４（ｅ）は図４（ｂ）におけるＩＶｄ−ＩＶｄ線概略縦断面図である。
【符号の説明】
【００４７】
１０：前足部
Ｂ１i ：末節骨
ｆ１：第１趾
ｆ２：第２趾
ｆ３：第３趾
ｆ４：第４趾
ｆ５：第５趾
ＩＮ：内側
Ｌ２：ＭＰ関節近傍のライン
ＭＰi ：ＭＰ関節
ＯＵＴ：外側
Ｙ：前後方向
Ｙ１：前方
【図１】
2008307199.tif 000003
【図２】
2008307199.tif 000004
【図３】
2008307199.tif 000005
【図４】
2008307199.tif 000006